(57)【要約】【課題】画像形成装置がスリープモードにあるときに、操作者に面倒な操作を要求することなく、ジョブ状況を表示可能にする。【課題を解決するための手段】通常動作可能な通常動作モードと印刷処理が可能な省電力状態のスリープモードとの切り替えが可能な画像形成装置１は、表示部４７３と、画像形成装置１に操作者が接近したことを検知して検知信号を発する人体検知センサー５０と、ジョブを管理するジョブ管理部１０１と、画像形成装置１がスリープモードにあるときに人体検知センサー５０から検知信号を受信したとき、ジョブ管理部１０１が管理するジョブの状況を確認して処理中又は未処理のジョブがあれば、表示部４７３に当該処理中又は未処理のジョブの状況を表示させる制御部１００とを備える。【選択図】図３
2014124866.tif 000002
【特許請求の範囲】
【請求項１】
通常動作可能な通常動作モードと、印刷処理が可能な省電力状態のスリープモードとの切り替えが可能な画像形成装置であって、
画像を表示する表示部と、
当該画像形成装置が前記通常動作モードにあるときには前記表示部に画像を表示させ、当該画像形成装置が前記スリープモードにあるときには前記表示部による画像表示を停止させた状態とする制御部と、
当該画像形成装置に操作者が接近したことを検知して検知信号を発する人体検知センサーと、
ジョブを管理するジョブ管理部とを備え、
前記制御部は、前記画像形成装置が前記スリープモードであり前記表示部に画像表示を停止させているときに前記人体検知センサーから前記検知信号を受信した場合であって、前記ジョブ管理部が管理するジョブの状況を確認して処理中又は未処理のジョブがあると判断した場合には、前記表示部に前記処理中又は未処理のジョブの状況を表示させる画像形成装置。
【請求項２】
前記制御部は、前記画像形成装置が前記スリープモードであり前記表示部に画像表示を停止させているときに前記人体検知センサーから前記検知信号を受信した場合であって、前記ジョブ管理部が管理するジョブの状況を確認して処理中又は未処理のジョブがないと判断した場合には、前記ジョブの状況を表示させる画面とは異なる予め定められたデフォルトの表示画面を前記表示部に表示させる請求項１に記載の画像形成装置。
【請求項３】
前記人体検知センサーは、当該画像形成装置に操作者が接近したことを前記制御部に割り込み通知する請求項１又は請求項２に記載の画像形成装置。
【発明の詳細な説明】
【技術分野】
【０００１】
本発明は、画像形成装置に関し、特に、ジョブ状況確認の利便性を向上させる技術に関する。
【背景技術】
【０００２】
画像形成装置では、トナー像を記録用紙に定着させる定着装置や、表示部等の消費電力を低減するために、画像形成を行わない場合などには通常動作モードから省電力状態のスリープモードに動作モードの切り替えが可能とされている。この動作モードの切り替えは操作者のキー操作により手動で可能とされる。また、下記特許文献１のように、画像形成装置に対して所定時間何も操作されない場合に通常動作モードからスリープモードに切り換え、画像形成装置がスリープモードにあるときに人体検知センサーが操作者の接近を検知すると、通常動作モードへ切り替える画像形成装置が提案されている。
【先行技術文献】
【特許文献】
【０００３】
【特許文献１】特開平９−１６６９４３号公報
【発明の概要】
【発明が解決しようとする課題】
【０００４】
画像形成装置においては、ジョブ状況を確認する場合、画像形成装置が通常動作モードにあるときには、画像形成装置に備えられている状況確認キーを操作者が操作することで表示部の画面表示をそれまでの表示内容からジョブ状況の表示に切り替えるが、画像形成装置は、スリープモードであってもＰＣ等からジョブを受け付けて表示部を消灯したままで当該ジョブを処理することが可能である。この画像形成装置がスリープモードにあるときに、操作者がジョブ状況を確認する場合、操作者は表示部を点灯させるためのキー操作等をしてから、更に状況確認キーを押してジョブ状況を表示させる必要がある。上記特許文献１のように、人体検知センサーが操作者の接近を検知して画像形成装置が自動的に通常動作モードへ復帰する場合には、表示部の点灯は自動的に行われるが、ジョブ状況を確認するには、やはり状況確認キーを押す必要がある。
【０００５】
本発明は、上記の問題を解決するためになされたもので、画像形成装置がスリープモードにあるときに、操作者に面倒な操作を要求することなく、ジョブ状況を表示可能にすることを目的とする。
【課題を解決するための手段】
【０００６】
本発明の一局面に係る画像形成装置は、通常動作可能な通常動作モードと、印刷処理が可能な省電力状態のスリープモードとの切り替えが可能な画像形成装置であって、画像を表示する表示部と、当該画像形成装置が前記通常動作モードにあるときには前記表示部に画像を表示させ、当該画像形成装置が前記スリープモードにあるときには前記表示部による画像表示を停止させた状態とする制御部と、当該画像形成装置に操作者が接近したことを検知して検知信号を発する人体検知センサーと、ジョブを管理するジョブ管理部とを備え、前記制御部は、前記画像形成装置が前記スリープモードであり前記表示部に画像表示を停止させているときに前記人体検知センサーから前記検知信号を受信した場合であって、前記ジョブ管理部が管理するジョブの状況を確認して処理中又は未処理のジョブがあると判断した場合には、前記表示部に前記処理中又は未処理のジョブの状況を表示させるものである。
【発明の効果】
【０００７】
本発明によれば、画像形成装置がスリープモードにあるときに状況確認キーを押さなくてもジョブ状況を確認することができる。これにより、ジョブ状況を確認するための操作の煩わしさを解消して操作者の利便性を向上させることができる。
【図面の簡単な説明】
【０００８】
【図１】本発明の一実施形態に係る画像形成装置の構造を示す正面断面図である。
【図２】人体検知センサーの設置例を示す図である。
【図３】画像形成装置の主要内部構成を示す機能ブロック図である。
【図４】ジョブ状況確認画面の例を示す図である。
【図５】画像形成装置におけるジョブ状況確認画面の表示処理を示すフローチャートである。
【図６】デフォルトの表示画面の例を示す図である。
【発明を実施するための形態】
【０００９】
以下、本発明の一実施形態に係る画像形成装置について図面を参照して説明する。図１は、本発明の一実施形態に係る画像形成装置の構造を示す正面断面図である。
【００１０】
本発明の一実施形態に係る画像形成装置１は、例えば、コピー機能、プリンター機能、スキャナー機能、およびファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１１】
操作部４７は、画像形成装置１が実行可能な各種動作及び処理について操作者から画像形成動作実行指示や原稿読取動作実行指示等の指示を受け付ける。操作部４７は、表示部４７３を備える。表示部４７３は、タッチパネル機能を有するＬＣＤ（Liquid Crystal Display）で構成されている。
【００１２】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１３】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１５】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１６】
画像形成装置１の前面部には、画像形成装置１の操作者を対象物として検知するための人体検知センサーが設置されている。図２は、人体検知センサー５０の設置例を示す図である。人体検知センサー５０は、例えば、操作部４７に設置することができる。
【００１７】
人体検知センサー５０は、例えば、焦電型赤外線センサー（図略）及びその制御基板（図略）から構成される。焦電型赤外線センサーは、焦電効果を有する基板表面に電極を有する焦電素子を備え、この焦電素子を用いて予め定められた検知領域内の対象物(人又は物体)の検知を行う。焦電型赤外線センサーは、強誘電体等からなる焦電体基板と、該焦電体基板の両面に対向して設けられた電極とを有する焦電素子を備え、人体の動作により発生した赤外線を焦電素子の受光部に集光させ、赤外線の変化に応じて生じる焦電素子の分極による信号を電圧信号に変換し、所定の処理を経た当該電圧信号が閾値との比較でコンパレータによりハイレベル又はローレベルとなる場合に、対象物を検知したものとして、当該ハイレベル又はローレベルを示す信号を出力する。
【００１８】
なお、人体検知センサー５０は、左右及び正面から画像形成装置１に接近する操作者を検知することができるように、その視野角は１００度以上であることが好ましい。また、画像形成装置１から遠く離れた人体を操作者として検知しないためにも検知距離はあまり長くせずに１ｍ程度であることが好ましい。
【００１９】
但し、人体検知センサー５０は、焦電型赤外線センサーに限られず、人体検知が可能な他のセンサーでも適用が画像形成装置１に可能である。例えば、人体検知センサーとしては、画像形成装置１前方に対して光を照射する発光部と、当該発光部から照射された光が人体で反射した反射光を受光する受光部とを備え、当該受光部による反射光の受光時に人体が存在するとして検知信号を出力する光センサーであっても構わない。
【００２０】
次に、画像形成装置１の構成を説明する。図３は画像形成装置１の主要内部構成を示す機能ブロック図である。図４はジョブ状況確認画面の例を示す図である。
【００２１】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００２２】
原稿読取部５は、制御ユニット１０による制御の下、光照射部及びＣＣＤセンサー等を有する上記の読取機構１６３を備える。原稿読取部５は、光照射部により原稿を照射し、その反射光をＣＣＤセンサーで受光することにより、原稿から画像を読み取る。
【００２３】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２４】
画像メモリー３２は、原稿読取部５による読取で得られた原稿画像のデータを一時的に記憶したり、画像形成部１２のプリント対象となるデータを一時的に保存する領域である。
【００２５】
画像形成部１２は、原稿読取部５で読み取られた印刷データ、ネットワーク接続されたコンピューター２００から受信した印刷データ等の画像形成を行う。
【００２６】
操作部４７は、画像形成装置１が実行可能な各種動作及び処理について操作者からの指示を受け付ける。操作部４７は、表示部４７３を備える。
【００２７】
表示部４７３は、制御部１００による制御の下、画像形成装置１が通常動作モードにあるときに、操作画面、プレビュー画面、ジョブ状況の確認画面等の各種画像を表示する。一方、制御部１００は、表示部４７３を、画像形成装置１がスリープモードにあるときには上記画像を非表示とする。例えば、制御部１００は、スリープモード時には、表示部４７３に備えられるバックライトを消灯すること等により、非表示部４７３を画像非表示の状態にする。
【００２８】
ファクシミリ通信部７１は、図略の符号化／復号化部、変復調部及びＮＣＵ（Network Control Unit）を備え、公衆電話回線網を用いてのファクシミリの送信を行うものである。
【００２９】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００３０】
ＨＤＤ９２は、原稿読取部５によって読み取られた原稿画像等を記憶する大容量の記憶装置である。
【００３１】
人体検知センサー部５０は、画像形成装置１に操作者が接近したことを検知して検知信号を発する。
【００３２】
駆動モーター７０は、画像形成部１２の各回転部材及び搬送ローラー対１９等に回転駆動力を付与する駆動源である。
【００３３】
制御ユニット１０は、制御部１００と、ジョブ管理部１０１とを備えている。
【００３４】
制御部１００は、原稿読取部５、原稿給送部６、画像処理部３１、画像メモリー３２、画像形成部１２、操作部４７、ファクシミリ通信部７１、ネットワークインターフェイス部９１、ＨＤＤ（ハードディスクドライブ）９２、人体検知センサー５０等と接続され、これら各部の駆動制御を行う。
【００３５】
ジョブ管理部１０１は、コンピューター２００から受信した印刷実行ジョブ、操作部４７の操作で操作者から入力されたコピー動作実行ジョブやスキャン実行ジョブ等の各種のジョブについてそれらの実行順序を決定する等により、各ジョブを管理する。
【００３６】
また、制御部１００は、スリープモード時に表示部４７３を画像非表示の状態としているときに、人体検知センサー５０から検知信号を受信した場合は、ジョブ管理部１０１が管理するジョブの状況を確認する。制御部１００は、ジョブ管理部１０１が管理する処理中又は未処理のジョブがあると判断した場合は、表示部４７３に当該処理中又は未処理のジョブの状況を示す画像を表示させる。制御部１００は、それまで消灯していた上記バックライトを点灯させること等により表示部４７３を画像表示状態とする。制御部１００は、図４に例を示すような、上記処理中又は未処理のジョブの一覧を示す各ジョブの確認画面Ｄ１を表示部４７３に表示させる。
【００３７】
また、制御部１００は、表示部４７３が画像非表示の状態のときに人体検知センサー５０から検知信号を受信したとき、ジョブ管理部１０１により管理されている処理中又は未処理のジョブがなければ、消灯している表示部４７３を点灯させて表示部４７３にメニュー画面等の所定の画面を表示させてもよい。
【００３８】
次に、画像形成装置１におけるジョブ状況確認画面の表示処理について説明する。図５は、画像形成装置１におけるジョブ状況確認画面の表示処理を示すフローチャートである。図６はデフォルトの表示画面の例を示す図である。
【００３９】
処理開始前において、画像形成装置１はスリープモードに設定されているものとする。このスリープモードが画像形成装置１に設定されている状態では、制御部１００は、表示部４７３を画像非表示の状態としている。かかる状態で、操作者が画像形成装置１に接近し、人体検知センサー５０による検知可能範囲に進入すると、人体検知センサー５０は、画像形成装置１に接近する当該操作者を検知する（Ｓ１）。
【００４０】
人体検知センサー５０によって操作者が検知され、制御部１００が、人体検知センサー５０から検知信号を受け取ると（Ｓ１でＹＥＳ）、ジョブ管理部１０１に対して処理中又は未処理のジョブを確認する（Ｓ２）。制御部１００は、処理中又は未処理のジョブがあると判断した場合には（Ｓ３でＹＥＳ）、上記図４に示した確認画面Ｄ１を表示させる等により、表示部４７３に当該処理中又は未処理のジョブの状況を表示させる（Ｓ４）。
【００４１】
一方、制御部１００は、ジョブ管理部１０１により管理されている処理中又は未処理のジョブがないと判断した場合は（Ｓ３でＮＯ）、表示部４７３に、予め定められたデフォルトの表示画面、例えば、図６に例を示すようなメニュー画面Ｄ２を表示させる（Ｓ５）。
【００４２】
上記のように、本実施形態によると、画像形成装置１がスリープモードにあり、かつ、ジョブ管理部１０１により管理されている処理中又は未処理にジョブがある場合に、操作者が画像形成装置１に近づくと、表示部４７３がジョブ状況の確認画面Ｄ１を表示することになる。これにより、操作者は状況確認キーを押さなくてもジョブ状況を確認することができ、操作者の利便性を向上させることができる。
【００４３】
また、従来は、画像形成装置をスリープモードが設定されている状態から、操作者が、管理下にあるジョブを確認する場合には、スリープモードを解除するための例えばキー操作と、ジョブ状況の確認画面を表示させる指示を入力するための状況確認キーの押下等の操作の両方が必要であり、また、当該状況確認キーの操作によりジョブ状況の確認画面を表示部に表示させたとしても、管理下にあるジョブが存在しない場合には、当該表示及び表示させるための操作が無駄になる。しかしながら、上記実施形態の場合は、画像形成装置１がスリープモードに設定されていて、ジョブ管理部１０１により管理されている処理中又は未処理のジョブがなければ、デフォルトの表示画面としてのメニュー画面Ｄ２が表示部４７３に表示される。すなわち、制御部１００は、画像形成装置１にスリープモードが設定されているときに、人体検知センサー５０が操作者を検出すると、ジョブ管理部１０１により管理されている処理中又は未処理にジョブがあるか否かに応じて、操作者によるジョブ状況の確認画面Ｄ１を表示部４７３に表示させるための操作を要求することなく、表示部４７３に、ジョブ状況の確認画面Ｄ１、又はデフォルトの表示画面としてのメニュー画面Ｄ２のいずれを表示するかを切り換える制御を行う。このため、操作者によるジョブ状況の確認画面Ｄ１を表示部４７３に表示させるための操作が無駄になるといった問題は生じない。
【００４４】
なお、人体検知センサー５０は、画像形成装置１に操作者が接近したことを制御部１００に割り込み通知する。これにより、人体検知センサー５０により操作者の接近が検知されるとすぐに表示部４７３が点灯し、表示部４７３にジョブ状況確認画面又はメニュー画面を表示することができる。
【００４５】
なお、本発明は上記実施の形態の構成に限られず種々の変形が可能である。例えば、上記実施形態では、本発明に係る画像形成装置の一実施形態として複合機を用いて説明しているが、これは一例に過ぎず、例えば、プリンター、コピー機、ファクシミリ装置等の他の画像形成装置でもよい。
【００４６】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００４７】
１        画像形成装置
１００    制御部
１０１    ジョブ管理部
５０      人体検知センサー
４７３    表示部
【図１】
2014124866.tif 000003
【図２】
2014124866.tif 000004
【図３】
2014124866.tif 000005
【図４】
2014124866.tif 000006
【図５】
2014124866.tif 000007
【図６】
2014124866.tif 000008